(57)【特許請求の範囲】
【請求項１】
無線ＩＣタグと通信を行って無線ＩＣタグ内のＩＣチップに記憶された情報を読み取るリーダライタに供されるアンテナ装置であって、
給電点に供給された電力によって電界を発生させるダイポールアンテナの放射アンテナと、
前記放射アンテナが発生させた電界によって共振し、誘起電流を発生させる前記放射アンテナと同じ長さの長方形の補助アンテナと、
を備え、
前記無線ＩＣタグと通信する電波の波長をλとしたとき、０．０１λ乃至０．２λの間隔で、前記放射アンテナと前記補助アンテナとが平行して配置されている
ことを特徴とするアンテナ装置。
【請求項２】
前記放射アンテナ及び前記補助アンテナの長さは、それぞれ、λ/２であることを特徴とする請求項１に記載のアンテナ装置。
【請求項３】
前記補助アンテナは、複数個アレイ状に配置された導電体エレメントで構成されたことを特徴とする請求項１または請求項２に記載のアンテナ装置。
【請求項４】
前記放射アンテナ及び複数個の前記導電体エレメントは、それぞれ、前記無線ＩＣタグの幅または長さ以下の間隔で配置されていることを特徴とする請求項３に記載のアンテナ装置。
【請求項５】
前記複数個の導電体エレメントは、それぞれ、０．０１λ乃至０．２０λの間隔で配置されていることを特徴とする請求項３に記載のアンテナ装置。
【請求項６】
前記放射アンテナ及び複数個の前記導電体エレメントは同一平面上に配置されていることを特徴とする請求項３乃至請求項５のいずれか１項に記載のアンテナ装置。
【請求項７】
複数個の前記導電体エレメントは前記放射アンテナの上面に配置されていることを特徴とする請求項３乃至請求項５のいずれか１項に記載のアンテナ装置。
【請求項８】
複数個の前記導電体エレメントは前記放射アンテナを中心として半円形に配置されていることを特徴とする請求項３乃至請求項５のいずれか１項に記載のアンテナ装置。
【請求項９】
複数個の前記導電体エレメントは前記放射アンテナを中心として円形に配置されていることを特徴とする請求項３乃至請求項５のいずれか１項に記載のアンテナ装置。
【請求項１０】
複数個の前記導電体エレメントは前記放射アンテナの放射軸上に配置されていることを特徴とする請求項３乃至請求項５のいずれか１項に記載のアンテナ装置。
【請求項１１】
複数個の前記導電体エレメントは前記放射アンテナの放射軸上において所定の傾斜角をもって配置されていることを特徴とする請求項３乃至請求項５のいずれか１項に記載のアンテナ装置。
【請求項１２】
複数個の前記導電体エレメントは、末端に配置された導電体エレメントが他の導電体エレメントより幅が広くなっていることを特徴とする請求項３乃至請求項１１のいずれか１項に記載のアンテナ装置。
【請求項１３】
前記他の導電体エレメントの幅は１ｍｍ乃至３ｍｍであることを特徴とする請求項１２に記載のアンテナ装置。
【請求項１４】
前記導電体エレメントは樹脂性のアンテナ基材に直接配置されていることを特徴とする請求項３乃至請求項１３のいずれか１項に記載のアンテナ装置。
【請求項１５】
複数個の前記導電体エレメントは前記放射アンテナの偏波方向と平行に配置されていることを特徴とする請求項３乃至請求項１４のいずれか１項に記載のアンテナ装置。
【請求項１６】
複数個の前記導電体エレメントは前記放射アンテナの偏波方向と垂直に配置されていることを特徴とする請求項３乃至請求項１４のいずれか１項に記載のアンテナ装置。
【請求項１７】
放射アンテナ、導電体エレメント、および無線ＩＣタグのリーダ回路が同一基板上に形成されていることを特徴とする請求項１に記載のアンテナ装置。
【請求項１８】
前記導電体アンテナは、アンテナ装置の筐体の内壁、外壁または当該筐体の部材内に実装されていることを特徴とする請求項１７に記載のアンテナ装置。
【請求項１９】
請求項１に記載のアンテナ装置を備えることを特徴とするリーダライタ。
【請求項２０】
前記放射アンテナと前記補助アンテナとは同一平面に配置されており、当該平面の上面に読取エリアが形成されることを特徴とする請求項１９に記載のリーダライタ。
【発明の詳細な説明】
【技術分野】
【０００１】
本発明は、無線ＩＣタグと通信を行って情報を読み取るリーダライタに供されるアンテナ装置に関する。
【背景技術】
【０００２】
近年、物品や構造物の情報管理、あるいは物流管理などに無線ＩＣタグが広く利用されている。このような無線ＩＣタグは、情報を記録した小さなＩＣチップとＩＣチップに記憶された情報を無線で送信する送信アンテナによって構成される。ＩＣチップとしては例えば厚さ０．４ｍｍ×奥行き０．４ｍｍ×高さ０．１ｍｍの小さいものが利用されている。このような無線ＩＣタグに対してリーダライタをかざすだけで、非接触で個々の物品や構造物の属性などに関する情報を取得することができる。無線ＩＣタグを物品に貼り付けたり構造物に埋め込んだりするにはできるだけサイズが小さいほうが望ましい。例えばボルトの頭部に取り付ける場合には大きさが１０ｍｍ以下であることが望まれる。
【０００３】
無線ＩＣタグを小さくするには、情報を送信する送信アンテナを小さくする必要がある。ここで、無線ＩＣタグが送信する電波の波長をλとしたとき、例えば無線ＩＣタグの送信アンテナのアンテナ長をλ/４以下にまで小さくすると、アンテナ効率の低下により、汎用的に使用されているダイポールアンテナやパッチアンテナなどの汎用リーダアンテナでは感度が足りず、特殊形状のリーダアンテナ（特殊リーダアンテナ）を用いる必要がある。
【０００４】
図１６は、無線ＩＣタグのアンテナをカットして使用する場合のイメージ図である。
アンテナ長さがλ／２の標準インレット５１（幅１．５ｍｍ、長さ５１ｍｍ）をその両側で切断して、例えば、λ/１０の長さの小型インレット５２（幅１．５ｍｍ、長さ１０ｍｍ）に加工し、これを小型の無線ＩＣタグ５３としたときは、アンテナ効率の低下により、図１６に示すように特殊リーダアンテナ５４を用いて通信を行うことになるが、この場合、ケーブル５５を介してリーダライタ５６に接続される特殊リーダアンテナ５４を無線ＩＣタグ５３と正確な位置合わせを行う必要があり、使い勝手が良くない。また、このような特殊リーダアンテナは、通常、無線ＩＣタグの大きさや形に応じて設計されるため、汎用性がない。
【０００５】
従来、特殊リーダアンテナとして、例えば、ペン型リーダの先端にコンデンサとコイルからなる共振体を具備した装置が知られている（例えば、特許文献１参照）。
【特許文献１】特開２００２−１８３６７６号公報（段落０００５−０００８）
【発明の開示】
【発明が解決しようとする課題】
【０００６】
しかしながら、特許文献１に記載された特殊リーダアンテナでは、ペン型リーダの先端をトランスポンダ内蔵のＩＣチップの直上に近づける必要があった。
【０００７】
そこで、本発明は、以上のような問題点に鑑みてなされたものであり、主たる目的は、無線ＩＣタグのアンテナを小型化しても、リーダアンテナ上で広い読み取り範囲を確保することができ、かつ読取り作業性を低下させることなく使用できるアンテナ装置及びリーダライタを提供することにある。また、他の目的は、無線ＩＣタグの応用範囲を広げることが可能なアンテナ装置及びリーダライタを提供することにある。 
【課題を解決するための手段】
【０００８】
本発明のアンテナ装置は、前記の目的を達成するために創案されたものであり、無線ＩＣタグからの電波を受信し情報を読み取るリーダライタに供されるアンテナ装置及びリーダライタであって、給電点に供給された電力によって電界を発生させるダイポールアンテナの放射アンテナと、放射アンテナが発生させた電界によって共振し、誘起電流を発生させる放射アンテナと同じ長さの長方形の補助アンテナとを備え、無線ＩＣタグと通信する電波の波長をλとしたとき、０．０１λ乃至０．２λの間隔で、放射アンテナと補助アンテナとが平行して配置されて構成されている。
【０００９】
また、前記発明の構成において、前記放射アンテナは、ダイポールアンテナで、補助アンテナは放射アンテナに平行して設けられた単数またはアレイ状に配置された複数個の導電体エレメントで構成される。放射アンテナ及び導電体エレメントは、それぞれ、無線ＩＣタグの幅または長さ以下の間隔で配置された構成を採っている。例えば、複数個の導電体エレメントの間隔は無線ＩＣタグの長さ以下、または無線ＩＣタグの幅以下とする。
【発明の効果】
【００１０】
本発明のアンテナ装置及びリーダライタによれば、放射アンテナの近傍に補助アンテナを設けることによって、無線ＩＣタグの電波を受信できる範囲が拡大し、広い範囲でしかも、高感度で無線ＩＣタグからの電波を受信できるようになる。無線ＩＣタグと正確な位置合わせが不要なため、使い勝手が向上する。また、無線ＩＣタグのアンテナ形状を問わないで、受信できるため、汎用性が保たれる。特に、補助アンテナを複数個の導電体エレメントで形成し、無線ＩＣタグの長さまたは幅以下の間隔でアレイ状に配置した場合、読取範囲がさらに拡大し、無線ＩＣタグの電波を確実に受信することができる。無線ＩＣタグから情報を読み取る際の作業性が一段と向上する。
【発明を実施するための最良の形態】
【００１１】
《発明の概要》
本発明のアンテナ装置は、リーダライタと接続される放射アンテナの近傍に、放射アンテナに平行して補助アンテナを配置して構成される。放射アンテナは、従来の汎用リーダアンテナと同じ構成とすることができる。例えば無線ＩＣタグから放射される電波の波長をλとしたとき、放射アンテナの長さがλ/２に設定される。補助アンテナは放射アンテナと対向し同じλ/２の長さに設定される。このように、放射アンテナに対して補助アンテナを設けることによって、アンテナ効率が向上するとともに読み取り範囲を広くさせることができる。したがって、アンテナ長を短くした小型の無線ＩＣタグでも、正確な位置合わせをせずに電波を受信し、リーダライタが情報を読み取ることができる。補助アンテナは、１本の導電体エレメントで構成することもでき、複数本で構成することもできるので、導電体エレメントの数を増やすことで、読み取り範囲を必要に応じて広げることが可能である。以下、図面に基づいて本発明の実施形態について説明する。
【００１２】
《第１実施形態》
図１は、第１実施形態に係るアンテナ装置の構成図である。
図１に示すように、樹脂またはセラミック製のアンテナ基材２の表面に長さがλ/２の放射アンテナ３が配置されている。放射アンテナ３はダイポールアンテナとし、ケーブル５を介して図示しないリーダライタに接続されている。この放射アンテナ３に対してその近傍に長さがλ/２の補助アンテナ４が平行して配置される。
【００１３】
アンテナ装置１は、このように構成され、放射アンテナ３の近傍に補助アンテナ４が配置されたため、図１のように補助アンテナ４の近傍に無線ＩＣタグ６が近づくと、補助アンテナ４と無線ＩＣタグ６のインレットアンテナ（送信アンテナ）６’との間で副同調回路が形成される。これによって、補助アンテナ４とインレットアンテナ６’との２つのアンテナは相互に補完した同調が行われるため、同調周波数よりも短いアンテナ長（例えば、λ/１０のアンテナ長）のインレットアンテナ６’であっても、補助アンテナ４からのエネルギーを効率よく受電することができ、インレットアンテナ６’と補助アンテナ４とを一体化させた状態で励振させることが可能になる。
【００１４】
このような作用によって、アンテナ装置１による読取範囲を図示のように放射アンテナ３と補助アンテナ４の間に形成された読取エリア７を広くさせることができる。また、アンテナ効率の向上により、従来では通信不能な状態を通信可能な状態にすることができる。したがって、無線ＩＣタグ６がアンテナ長を例えばλ／２より短くしたものであっても、無線ＩＣタグ６からの電波を受信し、その結果、アンテナ装置が接続されるリーダライタが無線ＩＣタグから情報を読取ることができる。従来のように無線ＩＣタグ６と正確な位置合わせをする必要がなくなるため、無線ＩＣタグの読取作業性が向上する。
【００１５】
補助アンテナ４としては、図１に示すように１本の導電体エレメントで構成してもよいし、後述するようにアレイ状に配置した複数の導電体エレメントで構成してもよい。アレイ状に配置した複数の導電体エレメントで構成した場合は、各導電体エレメントとインレットアンテナ６’との間でも相互に補完した同調が行われるため、読取エリアをさらに広くさせることができる。
このように、放射アンテナ３は従来の汎用リーダアンテナと同じ構成のため、汎用リーダアンテナに補助アンテナ４を追加するだけで本実施形態のアンテナ装置１を実現することができる。すなわち、従来の汎用リーダアンテナから本実施形態のアンテナ装置１へ容易に改良することができる。
【００１６】
《第２実施形態》
第２実施形態では、補助アンテナを複数の導電体エレメントで構成した場合のアンテナ装置について説明する。
図２は、第２実施形態に係るアンテナ装置の構成図である。
図２に示すように、アンテナ装置２１では、アンテナ基材２２の表面に長さがλ/２の放射アンテナ２３が配置され、その近傍に補助アンテナ２４として６個の導電体エレメント２４ａ，２４ｂ，…，２４ｆ（２４ａ〜２４ｆと表記することもある）がアレイ状に配置されている。たとえば、無線ＩＣタグの動作周波数が２．４５ＧＨｚで、無線ＩＣタグのアンテナ長が１０ｍｍの場合には、アンテナ装置２１では、放射アンテナ２３と導電体エレメント２４ａとの間隔が２．５ｍｍ（０．０２λ）で、各導電体エレメント２４ａ〜２４ｆ間の間隔が、それぞれ９ｍｍ（０．０７λ）で配置されている。各導電体エレメントは、幅２．５ｍｍで長さ５０ｍｍである。放射アンテナ２３と導電体エレメント２４ａとの間隔は、導電体アレイの導電体エレメントと導電体エレメントとの間隔の相互関係によって変化する。このような誘電体エレメントの密な配置によって、各導電体エレメント２４ａ〜２４ｆ（つまり補助アンテナ２４）は、放射アンテナ２３からの電界によって共振し、各導電体エレメント２４ａ〜２４ｆで誘起電流が発生する。このとき、各導電体エレメント２４ａ〜２４ｆの位相を制御する必要はない。
【００１７】
なお、放射アンテナ２３及び各導電体エレメント２４ａ，２４ｂ…２４ｆのそれぞれの間隔は、後記するように図示しない無線ＩＣタグを直交して配置したとき、または平行に配置したときに、無線ＩＣタグが各導電体エレメント２４ａ，２４ｂ…２４ｆに重なる程度の隙間であればよい。
したがって、無線ＩＣタグにはアンテナ長が２４ｍｍのものがあるが（前記の例では１０ｍｍ）、この無線ＩＣタグが各誘電体エレメントと直交状態にある場合、汎用のリーダアンテナでは、無線ＩＣタグのアンテナ長２４ｍｍ（０．２λ）が各誘電体エレメント間の最大の間隔となる。他方、無線ＩＣタグが各誘電体エレメントと平行状態にある場合、汎用のリーダアンテナでは、無線ＩＣタグのアンテナ幅１．５ｍｍ（０．０１λ）が各誘電体エレメント間の最小の間隔となる。
また、放射アンテナ２３と隣接する導電体エレメント２４ａの間隔、及び各導電体エレメント２４ａ，２４ｂ，…，２４ｆ間の間隔は０．１λ以下とすることもでき、この場合、同様な効果が得られる。
【００１８】
次に、アンテナ装置２１における導電体エレメントの配置および読取エリアについて説明する。
図３は、アンテナ装置における導電体エレメントの配置および読取エリアの説明図である。
図３（ａ）で示すように放射アンテナ２３および補助アンテナ２４を構成する各導電体エレメント２４ａ〜２４ｆが同一平面に配置された場合、図３（ｂ）に示すように電波の放射方向である読取エリア２５ａは、放射アンテナ２３と各導電体エレメント２４ａ，２４ｂ，…，２４ｆとを含む平面上となり、放射アンテナ２３と導電体エレメント２４ｆが囲む広い範囲となっている。なお、図では放射アンテナ２３と各導電体エレメント２４ａ，２４ｂ，…，２４ｆの上面が読取エリア２５ａと示されているが、下面も読取エリアとなる。
【００１９】
また、図３（ｃ）に示すように、放射アンテナ２３の上面に各導電体エレメント２４ａ，２４ｂ，…，２４ｆを同じ平面に配置する場合は、電波の放射方向である読取エリア２５ｂは、各導電体エレメント２４ａ，２４ｂ，…，２４ｆの平面上となるため、図３（ｂ）の読取エリア２５ａよりやや小さい範囲となっている。
【００２０】
また、図３（ｄ）に示すように、放射アンテナ２３を中心として各導電体エレメント２４ａ，２４ｂ，…，２４ｆを半円形に配置する場合は、電波の放射方向である読取エリア２５ｃは、各導電体エレメント２４ａ，２４ｂ，…，２４ｆで形成された半円形の円周上となる。
さらに、図３（ｅ）に示すように、放射アンテナ２３を中心として各導電体エレメント２４ａ，２４ｂ，…，２４ｊを円形に配置する場合は、電波の放射方向である読取エリア２５ｄは、各導電体エレメント２４ａ，２４ｂ，…，２４ｊで形成された円形の円周上となる。このような半円形または円形の読取エリアを形成することにより、特殊な物体に貼付された無線ＩＣタグの情報を容易に読み取ることができる。
従って、アンテナ装置２１を用いることによって、アンテナ長を短くした無線ＩＣタグでも正確な位置合わせが不要になり情報の読取り作業性が一段と向上する。また、複数個の導電体エレメントの配列を必要に応じて変えることができるので、食料品、医薬品、構造物、入場券など様々な形状の物体にランダムに貼付された無線ＩＣタグの情報を正確かつ容易に読み取ることができる。
【００２１】
次に、アンテナ装置２１と八木アンテナとの違いについて説明する。
図４は、一般的な八木アンテナの構成図である。
テレビジョンの受信に広く用いられる八木アンテナ１１は、λ/２長のダイポールアンテナを構成する放射器１２に対して約λ/４の間隔で、後に反射器１３、前に導波器１４を平面上に配置して構成される。反射器１３の長さはλ/２より長く、導波器１４の長さはλ/２より短くなっている。この八木アンテナ１１は、放射器１２で発生した電界の位相と、反射器１３及び導波器１４で発生した誘起電流の位相とが同相になるような位置（つまり、放射器１２からλ/４隔てた位置）に反射器１３と導波器１４が配置されている。
【００２２】
すなわち、それぞれ隣り合うアンテナエレメントがπ/２の位相差となるためには、隣り合うアンテナエレメントはλ/４の距離が必要となるので、反射器１３、放射器１２、導波器１４はこの順序でそれぞれλ/４の距離で配置されている。このような構成により、放射器１２から放射されて反射器１３で反射された電波は、図の矢印のように、反射器１３から導波器１４の方向へ放射される。従って、八木アンテナ１１による電波の受信エリア１５は、図４に示すように、反射器１３、放射器１２、及び導波器１４を通した平面上の前方（つまり、導波器１４の前方）の範囲となる。
【００２３】
これに対して、アンテナ装置２１は、補助アンテナ２４と無線ＩＣタグのインレットアンテナとの２つのアンテナが相互に補完した同調を作動原理となっているため、八木アンテナとは動作原理が異なる。従って、八木アンテナにおいて、放射器１２と反射器１３および導波器１４間の距離をλ／４に設定する必要があるが、アンテナ装置２１では、そのような制限を受けずに導電体エレメントの位置を設定することができる。
【００２４】
《第３実施形態》
第３実施形態では、放射アンテナがマイクロストリップアンテナであって偏波面と平行に導電体エレメントを配置した場合のアンテナ装置について説明する。
図５は、放射アンテナがマイクロストリップアンテナであって偏波面と平行に導電体エレメントを配置した場合の構成図である。
図５に示すようにアンテナ装置３１の基本的な構成は、ケーブル３５を介して図示しないリーダライタに接続される放射アンテナ３３が、表面に放射電極を形成し裏面にグランド電極を形成したマイクロストリップアンテナであって、この放射アンテナ３３の偏波方向と平行に複数の導電体エレメントをアレイ状に配列した補助アンテナ３４が配置された形態となっている。このとき、複数の導電体エレメントの配置方法には種々のバリエーションが考えられる。
【００２５】
図６は、複数の導電体エレメントの配置バリエーションを示す図である。
第１のバリエーションとして、図６（ａ）に示すように、放射アンテナ３３の垂直面上に、補助アンテナ３４を構成する各導電体エレメント３４ａ，３４ｂ，…，３４ｆを配置する。また、第２のバリエーションとして、図６（ｂ）に示すように、放射アンテナ３３と平行面の上面に、補助アンテナ３４を構成する各導電体エレメント３４ａ，３４ｂ，…，３４ｆを配置する。さらに、第３のバリエーションとして、図６（ｃ）に示すように、放射アンテナ３３の上面に、補助アンテナ３４を構成する各導電体エレメント３４ａ，３４ｂ，…，３４ｆを半円形に配置する。
【００２６】
また、第４のバリエーションとして、図６（ｄ）に示すように、放射アンテナ３３の上面全域に亘って、補助アンテナ３４を構成する各導電体エレメント３４ａ，３４ｂ，…，３４ｆを所定の傾斜角をもって配置する。さらに、第５のバリエーションとして、図６（ｅ）に示すように、放射アンテナ３３の上面で中心部より半分の領域に亘って、補助アンテナ３４を構成する各導電体エレメント３４ａ，３４ｂ，…，３４ｆを所定の傾斜角をもって配置する。その他のバリエーションについては、特に図示しないが、導電体エレメントの上面に各誘導体エレメント３４ａ，３４ｂ，…，３４ｆをドーム上に配置することもできる。なお、それぞれのバリエーションにおける読取エリアは、図３の場合と同様、誘導体エレメント３４ａ，３４ｂ，…，３４ｆの上面全域に亘ることは云うまでもない。
【００２７】
このように、導電体エレメントの配置バリエーションは多数があるが、これらは、アンテナ装置を使用する状況に応じて選択することができる。例えば、次のような場合には、図６（ａ）のバリエーションが適する。すなわち、アンテナ装置に対して垂直となる面で小型無線ＩＣタグを使用する場合や、横に倒せない細長い物品（試験管や採血管など）に小型無線ＩＣタグを取り付ける場合である。
一方、平面形状の物品を利用する場合には、図６（ｂ）、図６（ｄ）、図６（ｅ）が適し、曲面形状の物品を利用する場合には、図６（ｃ）が適する。
図６（ｅ）の場合、誘導体エレメント３４ａ〜３４ｆが放射アンテナ３３の片側（同図右側）の範囲に配置されている。このため、他の片側（同図左側）の範囲の領域では、放射アンテナ単体のアンテナ特性が得られ、標準サイズの無線ＩＣタグの読み取りがより容易になるという効果を奏することとなる。
【００２８】
ここで、図６の各バリエーションの配置を実現する場合における放射アンテナなどの構造について説明する。放射アンテナとしては、円形や矩形形状の放射面を有するパッチアンテナ（直線偏波特性を持つ）を使用する。そして、各導電体エレメントは、放射アンテナの偏波面と平行になるように配置する。
具体的には、導電体エレメントは、幅２．５ｍｍ、長さ５０ｍｍ、厚さ０．０２ｍｍのアルミ材にて形成し、アクリル樹脂材上にエレメント間隔９ｍｍで配置する。そして、放射アンテナ１は、１．６ｍｍ厚のテフロン（登録商標）製プリント基板上に形成する。このような構成により、図６に示した各バリエーションの配置を実現することが可能となる。
各導電体エレメントの基材は、ＰＶＣ、発泡ＰＶＣ、ＰＰ、ＰＥＴ、テフロン（登録商標）樹脂、アクリル樹脂、ＡＢＳ、ＰＣ、ＰＯＭなどの樹脂材料や紙、あるいは、これらを積層したものを用い、その基材面または基材中に各導電体エレメントを形成する。プリント基板であれば、ガラスエポキシ基板、テフロン（登録商標）基板などを用いると形成しやすいが、円筒形状のものであれば、ポリイミド基材を使用したフレキシブルプリント基板が最適である。
導電体エレメントは、アンテナ装置の筐体の内壁あるいは外壁、または筐体の部材内に実装するようにしてもよい。なお、筐体の外壁に導電体エレメントを装着する場合、樹脂や紙類などの保護フィルムで導電体エレメントを保護することが望ましい。
【００２９】
《第４実施形態》
第４実施形態では、放射アンテナがマイクロストリップアンテナであって偏波面と垂直に導電体エレメントを配置した場合のアンテナ装置について説明する。
図７は、放射アンテナがマイクロストリップアンテナであって偏波面と垂直に導電体エレメントを配置した場合のアンテナ装置の構成図である。図７（ａ）は、放射アンテナ３３の上面で中心部より半分の領域に亘って、補助アンテナ３４が配置されている。図７（ｂ）は、放射アンテナ３３の上面全域に亘って、補助アンテナ３４が配置されている。
図７に示すアンテナ装置３１’の構成が図５のアンテナ装置３１の構成と異なるところは、補助アンテナ３４を構成する導電体エレメントの配置が、放射アンテナ３３の偏波方向と平行ではなく、放射アンテナ３３の偏波方向と垂直になっている点のみである。この場合も、複数の導電体エレメントの配置方法には種々のバリエーションが考えられる。
すなわち、図８に示すように、第１のバリエーションとして、図８（ａ）に示すように、放射アンテナ３３の垂直面上に、補助アンテナ３４を構成する各導電体エレメント３４ａ，３４ｂ，…，３４ｆを配置する。また、第２のバリエーションとして、図８（ｂ）に示すように、放射アンテナ３３と平行面の上面全域に、補助アンテナ３４を構成する各導電体エレメント３４ａ，３４ｂ，…，３４ｆを配置する。さらに、第３のバリエーションとして、図８（ｃ）に示すように、放射アンテナ３３の上面全域に、補助アンテナ３４を構成する各導電体エレメント３４ａ，３４ｂ，…，３４ｆを半円形に配置する。
【００３０】
また、第４のバリエーションとして、図８（ｄ）に示すように、放射アンテナ３３の上面全域に亘って、補助アンテナ３４を構成する各導電体エレメント３４ａ，３４ｂ，…，３４ｆを所定の傾斜角をもって配置する。さらに、第５のバリエーションとして、図８（ｅ）に示すように、放射アンテナ３３の上面で中心部より半分の領域に亘って、補助アンテナ３４を構成する各導電体エレメント３４ａ，３４ｂ，…，３４ｆを所定の傾斜角をもって配置する。その他のバリエーションとしては、特に図示はしないが、放射アンテナ３３の上面に各導電体エレメント３４ａ，３４ｂ，…，３４ｆをドーム状に配置することもできる。
【００３１】
このように第４実施形態では、放射アンテナに対して導電体エレメントが直交するように配置している場合について説明したが、この場合、小型無線ＩＣタグの読み取りに際し、小型無線ＩＣタグが放射アンテナの偏波面と平行状態になるので、第３実施形態におけるアンテナ装置３１の場合に比べ、小型無線ＩＣタグの情報が読み取りやすくなる。
したがって、例えば、小型無線ＩＣタグの偏波面が揃っている場合や、自動搬送装置と組み合わせてアンテナ装置を使用する場合には、より効率的に小型無線ＩＣタグの情報を読み取ることが可能となる。
【００３２】
《第５実施形態》
図９は、第５実施形態に係るアンテナ装置の構成図である。
アンテナ装置４１は、図９に示すように、樹脂またはセラミック製のアンテナ基材２に放射アンテナ４３が配置されている。放射アンテナ４３は小型マイクロストリップアンテナである。この放射アンテナ４３の偏波面と平行に補助アンテナ４４を配置して構成されている。
図１に示す第１実施形態では放射アンテナ３がダイポールアンテナとなっているのに対して、図９に示す第５実施形態では、放射アンテナ４３は小型マイクロストリップアンテナである点で異なっている。この補助アンテナ４４は、第２実施形態と同様に複数の導電体エレメントで構成することができる。次に、複数の導電体エレメントで構成した場合の配置バリエーションについて説明する。
図１０は、小型マイクロストリップ構成の放射アンテナの偏波面と平行に補助アンテナを配置したときの各導電体エレメントの配置バリエーションを示す図である。
すなわち、第１のバリエーションとしては、図１０（ａ）に示すように、放射アンテナ４３と、補助アンテナ４４を構成する各導電体エレメント４４ａ，４４ｂ，…，４４ｆとを同一平面上に配置する。また、第２のバリエーションとしては、図１０（ｂ）に示すように、放射アンテナ４３の上面に、補助アンテナ４４を構成する各導電体エレメント４４ａ，４４ｂ，…，４４ｆを配置する。さらに、第３のバリエーションとしては、図１０（ｃ）に示すように、放射アンテナ４３を中心として、補助アンテナ４４を構成する各導電体エレメント４４ａ，４４ｂ，…，４４ｆを半円形に配置する。また、第４のバリエーションとしては、図１０（ｄ）に示すように、放射アンテナ４３を中心として、補助アンテナ４４を構成する各導電体エレメント４４ａ，４４ｂ，…，４４ｊを円形に配置する。
【００３３】
次に、小型マイクロストリップ構成の放射アンテナ４３の偏波面と垂直に補助アンテナ４４を配置したときの各導電体エレメントの配置方法について説明する。放射アンテナ４３の偏波面と垂直に補助アンテナ４４を配置する場合は、図１１（ａ）の斜視図に示すように、放射アンテナ４３と、各導電体エレメント４４ａ，４４ｂ，…，４４ｅからなる補助アンテナ４４とが直交するように構成する。すなわち、図１１（ｂ）に示すように、放射アンテナ４３の垂直面上に、左右がλ/４ずつに配分されるように導電体エレメント４４ａ，４４ｂ，…，４４ｅを配置する。
【００３４】
第５実施形態において、放射アンテナ４３は、ガラスエポキシ基板上に形成し、長さが３１ｍｍで幅が５ｍｍの放射面を有する。導電体エレメントは、長さが５０ｍｍで幅が２．５ｍｍであり、５本の導電体エレメントを９ｍｍの間隔で配置する。このような構成により、補助アンテナ４４の面上で、利用者は、小型無線ＩＣタグアンテナとリーダアンテナとの偏波面を意識せずに、小型無線ＩＣタグの情報を容易に読み取ることが可能となる。また、このような構成とすることにより、半波長ダイポールアンテナを有する汎用の無線ＩＣタグを使用した場合においても、利用者は、偏波面を意識せずに、汎用の無線ＩＣタグの情報を容易に読み取ることができる。
【００３５】
《第６実施形態》
第６実施形態では、導電体エレメントのレイアウトについて説明する。
図１２は、導電体エレメントと無線ＩＣタグの位置関係を示す図であり、（ａ）は読取り可能な位置関係、（ｂ）は読取り難い位置関係を示す図である。図１２（ａ）に示すように、無線ＩＣタグ６ａと導電体エレメント２３ａ，２３ｂが直交して重なる場合や、無線ＩＣタグ６ｂと導電体エレメント２３ｂが平行しながら両者が部分的に重なる場合、または、平行あるいは平行に近い状態（平行に相当する状態）で接近している場合は、前記したように、導電体エレメント２３ａ、２３ｂと無線ＩＣタグ６ａまたは６ｂのインレットアンテナとの間でも相互に補完した同調が行われるため、無線ＩＣタグ６ａ、６ｂからの電波を受信しリーダライタで情報を読み取ることができる。
【００３６】
一方、図１２（ｂ）に示すように、無線ＩＣタグ６ｃと導電体エレメント２３ｖ，２３ｗが直角関係にあっても両者が重ならない場合、無線ＩＣタグ６ｅが導電体エレメント２３ｗと導電体エレメント２３ｘの隙間に平行する場合、及び無線ＩＣタグ６ｄが導電体エレメント２３ｗと平行して完全に重なった場合は、導電体エレメント２３ｖ，２３ｗ，２３ｘと無線ＩＣタグ６ｃまたは６ｄあるいは６ｅのインレットアンテナとの間で相互に補完した同調が行われないため、電波を受信することができず、その結果、リーダライタで情報を読み取ることができない。
【００３７】
このようなことから、導電体エレメントと無線ＩＣタグが直交する可能性が高い場合は各導電体エレメントの間隔を広くし、導電体エレメントと無線ＩＣタグが平行する可能性が高い場合は、各導電体エレメントの間隔を狭くすると共に内部の導電体エレメントの幅を細くすることが望ましい。つまり、無線ＩＣタグと導電体エレメントが重なった状態で接近すると読取りエラーを起こしやすいので、導電体エレメントの幅を細くすることによって対処する。
【００３８】
図１３は、導電体エレメントの望ましいレイアウトを示す図であり、（ａ）は導電体エレメントと無線ＩＣタグが直交する可能性が高い場合、（ｂ）は導電体エレメントと無線ＩＣタグが平行する可能性が高い場合のレイアウトを示している。導電体エレメントと無線ＩＣタグが直交する可能性が高い場合は、図１３（ａ）に示すように、両側の導電体エレメント２３ａ，２３ｅは幅を広げて無線ＩＣタグ６ａと重なりやすくし、内側の導電体エレメント２３ｂ，２３ｃ，２３ｄは導体幅を狭くすると共に各導電体エレメント２３ａ，２３ｂ，２３ｃ，２３ｄ，２３ｅの間隔は無線ＩＣタグ６ａが直交したときに重なる程度に広くする。
【００３９】
また、導電体エレメントと無線ＩＣタグが平行する可能性が高い場合は、図１３（ｂ）に示すように、両側の導電体エレメント２３ｕ，２３ｚは幅を広げて無線ＩＣタグ６ｂと重なりやすくし、内側の導電体エレメント２３ｖ，２３ｗ，２３ｘ，２３ｙは導体幅を狭くすると共に各導電体エレメント２３ｕ，２３ｖ，２３ｗ，２３ｘ，２３ｙ，２３ｚの間隔は無線ＩＣタグ６ｂが平行したときに重なる程度に狭くする。
【００４０】
第６実施形態においては、汎用的には図１２（ｂ）の形態でアンテナ装置を製造することにより、２つの偏波特性を持つ小型無線ＩＣタグに適用することが可能となる。例えば、図１２（ｂ）の形態の導電体アレイを実装するアンテナ装置で小型無線ＩＣタグ６ｂの読み取りを行う場合にも、作業者は、小型無線ＩＣタグがアンテナ装置上の読み取り領域内を移動しているときに、その小型無線ＩＣタグの情報を読み取るために、アンテナ装置側に当該小型無線ＩＣタグを移動させる。この移動により、小型無線ＩＣタグが、最適な読み取り位置を通過することとなる。したがって、作業者は、小型無線ＩＣタグの読み取りに伴う位置合わせを行うことなく、小型無線ＩＣタグの情報を読み取ることが可能となる。
また、例えば、小型無線ＩＣタグを取り付けた物品が自動搬送装置により自動搬送される場合にその小型無線ＩＣタグの偏波面が一定の向きを保つ状態になるとき、図１３（ａ）（ｂ）に示した形状の導電体アレイを用いることにより、小型無線ＩＣタグの情報がより効率的に読み取られることとなる。
【００４１】
《第７実施形態》
第７実施形態では、放射アンテナと導電体エレメントの汎用性のある配置バリエーションについて説明する。
図１４は、放射アンテナと導電体エレメントの汎用性のある配置バリエーションを示す図である。
第１のバリエーションは、図１４（ａ）に示すように、放射アンテナ３３の垂直面上（つまり、放射軸上）に補助アンテナ３４を配置したものである。補助アンテナ３４は、複数の導電体エレメントからなる導電体アレイ（つまり導電体エレメントのアレイ）３４ａで構成される。また、第２のバリエーションは、図１４（ｂ）に示すように、放射アンテナ３３の上面で中心部より半分の領域に亘って、複数の導電体アレイ３４ａで構成される補助アンテナ３４を所定の傾斜角をもって配置したものである。さらに、第３のバリエーションは、図１４（ｃ）に示すように、放射アンテナ３３の上面全域に亘って、複数の導電体アレイ３４ａで構成される補助アンテナ３４を所定の傾斜角をもって配置したものである。
【００４２】
《第８実施形態》
第８実施形態では、放射アンテナと導電体エレメントとの配置バリエーションについて説明する。図１５は、第８実施形態における放射アンテナと導電体エレメントとの配置バリエーションを示す図である。
【００４３】
図１５において、（ａ）はダイポール状の放射アンテナ３のみでアンテナ装置を構成した第１のバリエーションである。（ｂ）は放射アンテナ３に対して補助アンテナとして導電体エレメント４ａを１個のみ配置してアンテナ装置を構成した第２のバリエーションである。（ｃ）は放射アンテナ３に対して補助アンテナとして導電体エレメント４ａと導電体エレメント４ｂの２個を配置してアンテナ装置を構成した第３のバリエーションである。この場合、端にある導電体エレメント４ｂの幅がやや広くなっている。（ｄ）は放射アンテナ３に対して補助アンテナとして導電体エレメント４ａ，４ｂ，４ｃの３個を配置してアンテナ装置を構成した第４のバリエーションである。この場合、端にある導電体エレメント４ｃの幅がやや広くなっている。
【００４４】
また、図１５において、（ｅ）は放射アンテナ３に対して補助アンテナとして中心部分が幅広な導電体エレメント４ａを１個配置してアンテナ装置を構成した第５のバリエーションである。（ｆ）は放射アンテナ３に対して補助アンテナとして両端部分が幅広な導電体エレメント４ａを１個配置してアンテナ装置を構成した第６のバリエーションである。（ｇ）は放射アンテナ３に対して補助アンテナとして両端部分から中央部分にかけて幅が狭くなる導電体エレメント４ａを１個配置してアンテナ装置を構成した第７のバリエーションである。
【００４５】
また、図１５において、（ｈ）は放射アンテナ３に対して補助アンテナとして中央部分が幅広で両端部分にかけて幅が順次狭くなる導電体エレメント４ａを１個配置してアンテナ装置を構成した第８のバリエーションである。（ｉ）は放射アンテナ３に対して補助アンテナとして中央部分の幅が狭く両端部分にかけて幅が順次に広くなる導電体エレメント４ａを１個配置してアンテナ装置を構成した第９のバリエーションである。（ｊ）は放射アンテナ３に対して補助アンテナとして中央部分から両端部分にかけて順次幅が狭くなる導電体エレメント４ａを１個配置してアンテナ装置を構成した第１０のバリエーションである。（ｋ）は放射アンテナ３に対して補助アンテナとして中央部分から両端部分にかけて幅が順次に広くなる導電体エレメント４ａを１個配置してアンテナ装置を構成した第１１のバリエーションである。
【００４６】
第８実施形態において、放射アンテナに導電体エレメントを１つ付加した場合においては、図１５（ｇ）に示した導電体エレメント４ａのような形状に導電体エレメントをすることにより、放射アンテナと導電体エレメントとの間は、その中央が他に比べて広く、両端に向かってにつれ狭くなっている。このような構造により、利用者が、アンテナ装置に小型無線ＩＣタグを近づけていくと、小型無線ＩＣタグのアンテナ長に適した位置（放射アンテナと導電体エレメントとの間の位置）で小型無線ＩＣタグの情報を読み出すことが可能となる。
例えば、本実施形態におけるアンテナを実装したハンディリーダにより、ある物品に実装された小型無線ＩＣタグがスキャンされた場合、当該アンテナと小型無線ＩＣタグが、放射アンテナと導電体エレメントとの間隔と小型無線ＩＣタグのアンテナ長との関係で、情報読み取りに適した位置関係になった位置のときに、小型無線ＩＣタグの情報が読み取られ、小型無線ＩＣタグの読み取り効率が向上する。
また、互いに大きさの異なる小型無線ＩＣタグを用いる場合も、放射アンテナと導電体エレメントとの間隔を最適化する手間が不要なので、汎用的に利用可能な利点がある。
【００４７】
[アンテナ装置の具体例]
次に、直線偏波パッチアンテナに導電体アレイを配置したアンテナ装置の具体例について図１７ないし図２０に基づいて説明する。
図１７（ａ）（ｂ）（ｃ）において、導電体アレイ１００は、マイクロストリップアンテナ（パッチアンテナ）１０１のアンテナ放射部１０２の１／２の領域になるように配置する。この場合、無線ＩＣタグの読み取り面となる読取領域１０３で小型無線ＩＣタグを利用することが可能となる。また、読取領域１０４においては、汎用無線ＩＣタグの通信距離を低下させることなく汎用無線ＩＣタグを利用することが可能となる。さらに、読取領域１０３においては、パッチアンテナの偏波面と直交した方向の偏波面で読み取りを行うことが可能となる。しかも、利用者は、読み取り距離が近接であれば、偏波面を意識せずに使用することができる。
なお、このアンテナ装置の外観は、図１８（ａ）のようになり、図１８（ｂ）に示した読取領域１０３、１０４では、次のような特性が得られる。すなわち、読取領域１０３において、小型無線ＩＣタグや汎用無線ＩＣタグを利用する場合、いずれのＩＣタグを利用しても偏波面の依存性がなくなる。もっとも、汎用無線ＩＣタグの場合には、通信距離が短くなる。
他方、読取領域１０４において、汎用無線ＩＣタグを利用する場合、マイクロストリップアンテナ１０１の偏波面で読み取りやすくなる。
【００４８】
図１９（ａ）（ｂ）（ｃ）において、導電体アレイ１００は半円形であり、この導電体アレイ１００は、マイクロストリップアンテナ１０１のアンテナ放射部１０２上に配置されている。この場合、無線ＩＣタグの読み取り面となる読取領域１０３Ａで小型無線ＩＣタグを利用することが可能となる。また、読取領域１０４Ａにおいては、汎用無線ＩＣタグとの通信距離を低下させることなく利用することが可能となる。なお、アンテナ装置は、小型無線ＩＣタグの専用装置とすることなく、汎用的に使用することが可能となる。導電体アレイ１００は、図示しない筐体の内壁あるいは外壁、または部材内に実装してもよい。
この図１９のアンテナ装置の外観を図２０（ａ）、２つの読取領域１０３Ａ、１０４Ａを図２０（ｂ）、当該アンテナ装置を血液検査システムに用いた場合の応用例を図２０（ｃ）に示す。図２０（ｃ）では、ユーザが、長さ１０ｍｍ、幅１．５ｍｍの小型無線ＩＣタグが取り付けられた採血管をアンテナ装置の窪み部分に近づけて、その小型無線ＩＣタグの情報（例えば、採血理由など）が読み取られるケースが例示されている。
【００４９】
次に、アンテナ装置の実装例について図２１および図２２に基づいて説明する。
まず、図２１のアンテナ装置では、放射アンテナ１１０、導電体エレメント１１１、および無線ＩＣタグのリーダ回路１１２が同一のリーダ回路基板１１３上に実装されている。そして、このリーダ回路基板１１３上には、ＰＣ（パソコン）インタフェース回路１１４も実装されている。このように構成すると、小型化が実現する。
図２２（ａ）（ｂ）のアンテナ装置では、既存の小型リーダ装置の筐体１２０の内壁に導電体エレメント１１１が実装されている。このように構成すると、既存の小型リーダ装置の筐体の再製作などを行うことなく、導電体エレメント１１１を実装することが可能となる。また、小型リーダ装置の上面、下面および、筐体端部の導電体エレメント１１１周辺で小型無線ＩＣタグの読み取りを行うことが可能となり、読み取りの操作性・作業性が向上する。
なお、図２２では、アンテナ装置の筐体の内壁に導電体エレメント１１１を実装する場合について説明したが、筐体１２０の再製作などの作業負担が軽減するのであれば、筐体１２０の外壁または当該筐体の部材内に実装するようにしてもよい。
【００５０】
《まとめ》
以上説明したように、実施形態で示したアンテナ装置によれば、１５ｍｍ以下のインレットアンテナで構成される無線ＩＣタグの情報を読み取る場合でも、放射アンテナの偏波面がなくなって任意の方向から情報を読み取ることができるので、無線ＩＣタグの読取り作業性が一段と向上する。また、アンテナ装置は電力を消費しないので、無線出力電力の低いリーダライタにおいてもアンテナ機能を充分に発揮することができる。例えば、平均送信出力が８０ｍＷのＰＨＳ相当の無線出力機器においても十分にアンテナ機能を発揮する。したがって、電波防護指針などを意識しなければならない場所（例えば、医療機関など）において無線ＩＣタグの情報を読み取る場合でも、本発明のアンテナ装置を用いれば効率よく無線ＩＣタグの情報を収集することができる。
【００５１】
実施形態で示したアンテナ装置をリーダライタに用いれば、医薬品の小ビン（例えば、アンプルなど）に添付された無線ＩＣタグの情報を容易に読み取ることができるので、医薬品の製造ライン検査や製品管理、あるいは病院内における医薬品管理に利用することができる。また、ＰＴＰパッケージ内の薬剤の情報を無偏波で読み取ることができるので、薬剤の製造ライン検査、製品管理、あるいは病院内における薬剤管理に利用することができる。さらには、注射器の製造ライン検査、製品管理、廃棄物管理、あるいは病院内における注射器の管理に利用することができる。また、血液検査などに用いられる検査チューブの製造ライン検査、製品管理、検査工程、あるいは病院内における管理に利用することができる。
【００５２】
また、本発明に係るアンテナ装置をリーダライタに用いれば、入場券、商品券、カルテなどの用紙に対して無線ＩＣタグをランダムに挿入してもそれらの情報を読み取ることができる。このようにして、用紙の任意の場所にランダムに無線ＩＣタグを貼付すれば、用紙を重ねたときに無線ＩＣタグによって盛り上がらないので、入場券、商品券、カルテなどの取扱いが容易になる。さらに、無線ＩＣタグをカードに貼付したとき、無線ＩＣタグのサイズの小型化により、リーダライタにカードを近づけたときに指が無線ＩＣタグの領域を摘む確率が下がり、通信距離が不安定となるおそれもなくなるので、無線ＩＣタグの読取り効率が一段と向上する。
【００５３】
さらには、本発明に係るアンテナ装置をリーダライタに用いれば、無線ＩＣタグを食料品などに貼付した場合でも容易に情報を読み取ることができるので、食品産業において広く利用することができる。一般には、２．４５ＧＨｚ帯の無線ＩＣタグでは、金属や水分が無線ＩＣタグの近傍に存在すると、当該無線ＩＣタグの読み取り可能な距離が短縮することが知られている。しかし、本発明に係るアンテナ装置では、その補助アンテナが、無線ＩＣタグのインレットアンテナと副同調回路とを形成することにより、読み取り可能な距離の延長を図ることが可能となる。なぜなら、金属や食料品などに含まれる水分による影響で読み取り可能な距離が短縮しないようにできるからである。
また、汎用型無線ＩＣタグ、例えば、１／２λ型ダイポールアンテナにＩＣチップを実装した無線ＩＣタグを金属などに直接取り付けた場合でも、その属性情報を読み取ることができるので、金属製品の製品管理や特性管理などに利用することができる。さらには、ペットボトルや清涼飲料水などの管理や、病院内におけるカード、カルテ、投薬、注射、検査、または診断装置などの管理に利用することもできる。
【図面の簡単な説明】
【００５４】
【図１】第１実施形態に係るアンテナ装置の構成図である
【図２】第２実施形態に係るアンテナ装置の構成図である．
【図３】アンテナ装置における導電体エレメントの配置および読取エリアの説明図である。
【図４】一般的な八木アンテナの構成図である。
【図５】放射アンテナがマイクロストリップアンテナであって偏波面と平行に導電体エレメントを配置した場合の構成図である。
【図６】複数の導電体エレメントの配置バリエーションを示す図である。
【図７】放射アンテナがマイクロストリップアンテナであって偏波面と垂直に導電体エレメントを配置した場合のアンテナ装置の構成図である。
【図８】アンテナ装置における導電体エレメントの配置および読取エリアの説明図である。
【図９】第５実施形態に係るアンテナ装置の構成図である。
【図１０】小型マイクロストリップ構成の放射アンテナの偏波面と平行に補助アンテナを配置したときの各導電体エレメントの配置バリエーションを示す図である。
【図１１】小型マイクロストリップ構成の放射アンテナの偏波面と垂直に補助アンテナを配置したときの各導電体エレメントの配置を示す図である。
【図１２】導電体エレメントと無線ＩＣタグの位置関係を示す図である。
【図１３】導電体エレメントの望ましいレイアウトを示す図である。
【図１４】放射アンテナと導電体エレメントの汎用性のある配置バリエーションを示す図である。
【図１５】第８実施形態に係る放射アンテナと導電体エレメントとの配置バリエーションを示す図である。
【図１６】無線ＩＣタグのアンテナをカットして使用する場合のイメージ図である。
【図１７】アンテナ装置内部の具体例を示す図である。
【図１８】図１７のアンテナ装置の外観および読取領域を示す説明図である。
【図１９】アンテナ装置内部の他の具体例を示す図である。
【図２０】図１９のアンテナ装置の外観および読取領域を示す説明図である。
【図２１】アンテナ装置の実装例を示す図である。
【図２２】アンテナ装置の他の実装例を示す図である。
【符号の説明】
【００５５】
１、２１、３１、４１      アンテナ装置
２、２２      アンテナ基材
３、２３、３３、４３      放射アンテナ
４、２４、３４、４４      補助アンテナ
４ａ、４ｂ、４ｃ    導電体エレメント
６      無線ＩＣタグ
６’    インレットアンテナ
６ａ    無線ＩＣタグ
７      読取エリア
２３ａ、２３ｂ、２３ｕ、２３ｖ、２３ｗ、２３ｘ、２４ａ  導電体エレメント
２５    読取エリア
３４ａ  導電性アンテナアレイ
【図１】
0004571555.tif 000002
【図２】
0004571555.tif 000003
【図３】
0004571555.tif 000004
【図４】
0004571555.tif 000005
【図５】
0004571555.tif 000006
【図６】
0004571555.tif 000007
【図７】
0004571555.tif 000008
【図８】
0004571555.tif 000009
【図９】
0004571555.tif 000010
【図１０】
0004571555.tif 000011
【図１１】
0004571555.tif 000012
【図１２】
0004571555.tif 000013
【図１３】
0004571555.tif 000014
【図１４】
0004571555.tif 000015
【図１５】
0004571555.tif 000016
【図１６】
0004571555.tif 000017
【図１７】
0004571555.tif 000018
【図１８】
0004571555.tif 000019
【図１９】
0004571555.tif 000020
【図２０】
0004571555.tif 000021
【図２１】
0004571555.tif 000022
【図２２】
0004571555.tif 000023